Podtech/llm-jp-corpus-v4-ja_patent huggingface dataset:
(57)【要約】      （修正有）【課題】１回で使い切らない袋入り食品等には、口の部分に開封後の密閉保存が出来るようチャックが取り付けられているものが多い。しかし素材がビニールやナイロンであるため、開封後は左右の口が密着しやすい。それを離してからチャックを開けるために左右に引っぱらなければならないのだが、左右の口が同じ高さに揃っているのでなかなか離しにくい。開閉のつど不便に感じている人は少なくないと思われる。そこで、袋の口を開けるとき指をかける段差を作ることが出来る器具を提供する。【解決手段】袋の口の左右どちらかを切り取って段差を作り指をかけやすくすることが出来る。刃の形状は凸型（爪切りは凹型）で、使い方は爪切りと同じである。刃の直径は、指をかけやすいよう親指くらい（直径２．０〜２．５ｃｍ）にする。【選択図】図１
0003131521.tif 000002
【実用新案登録請求の範囲】
【請求項１】
開封後の保存チャック付き袋の口を開けやすくするため、切り込みを入れる器具。爪切りのような仕組みで、刃の部分は爪切りと逆の凸型のもの。
【考案の詳細な説明】
【技術分野】
【０００１】本発明は、開封後の食品の保存チャック付き袋を開けやすくするため袋の口に切り込みを入れる器具に関する
【背景技術】
【０００２】  従来の食品等には、袋の口に開封後の密閉保存が出来るようチャックが取り付けられているものがある。しかし、袋の素材がビニールやナイロンであるため、開封後は左右の口が密着しやすく、それを離してからチャックを開けるため左右に引っ張らなければならない。
【考案の開示】
【考案が解決しようとする課題】
【０００３】袋を開封後は、切り口が同じ高さに揃うので密着すると離しにくい。
何度も繰り返し開閉する場合は不便である。【０００４】本発明は、このような袋の構造が有していた問題を解決しようとするものである。
【課題を解決するための手段】
【０００５】本発明は、上記目的を達成するために、袋の口の片方に指をかけ易いよう切り込みを入れる器具である。爪切りのような仕組みで、刃の形状を爪切りとは逆の凸型とする。
【考案の効果】
【０００６】これにより、袋の口を開けるとき指をかける段差を作ることが出来る。
【考案を実施するための最良の形態】
【０００７】
【実施例１】保存チャック付きの袋入りサプリメント
【実施例２】保存チャック付きの袋入りお茶の葉
【実施例３】保存チャック付きの袋入り調味料等
【実施例２】保存チャック付きの袋入り菓子
【産業上の利用可能性】
【図面の簡単な説明】
【０００８】
【図１】上から見た図である。
【図２】横から見た図である。
【図３】袋を切る様子を上から見た図である。
【図４】切った袋を上から見た図である。
【符号の説明】
【０００９】  ａ  →  凸型の刃
ｂ  →  袋
ｃ  →  袋の保存チャック部分
ｄ  →  切断された部分
【図１】
0003131521.tif 000003
【図２】
0003131521.tif 000004
【図３】
0003131521.tif 000005
【図４】
0003131521.tif 000006
【手続補正書】
【提出日】平成19年1月26日(2007.1.26)
【手続補正１】
【補正対象書類名】実用新案登録請求の範囲
【補正対象項目名】全文
【補正方法】変更
【補正の内容】
【実用新案登録請求の範囲】
【請求項１】
開封後の保存チャック付き袋の口に半円型の切り込みを入れるため、爪切りのような仕組みで、爪切りと逆に凸型の刃を持つ器具。
(57)【要約】【課題】  焚火やキャンプファイヤー、暖炉、灯火、炊事などを通常の薪を使って行う場合の、伐採や木材の切断、着火時に、火種を充分に保つため空気との接触面積が大きくなるような工夫、木の小枝や細く切った焚きつけと呼ばれる薪の利用、充分に火がついた後より太い薪を順次火にくべる着火後の調整などを最小限に抑えるとともに、自然とのふれあいを楽しむアウトドアや、暖炉、神社などで利用される篝火などでの炭や燃焼材などの人工の加工物を利用することが不適切な場合に利用できるようにする。【解決手段】  本案件は上記目的を達成するため、円柱状の皮付き木材本体に上面から均等に分割するように円の中心を通る切れ目を２本〜８本の切れ目を中心を通るように入れ、切離れないように下部を残すことによって、着火剤とマッチ一本で着火が可能にした。【選択図】図１
0003131583.tif 000002
【実用新案登録請求の範囲】
【請求項１】
円柱状の皮付き木材本体に上面から均等に分割するように円の中心を通る２本〜８本の幅８ｍｍ〜１２ｍｍの切れ目を入れ、切離れないように下部を残すことを特徴として構成する高さ１００ｍｍ〜８００ｍｍ、直径１００ｍｍ〜４００ｍｍの円柱状の薪。
【考案の詳細な説明】
【産業上の利用分野】
【０００１】  本考案は、焚火やキャンプファイヤー、暖炉、灯火、炊事などに利用できる、円柱状の皮付き木材本体に上面から均等に分割するように円の中心を通る切れ目を入れ、切離れないように下部を残すことを特徴として構成する燃焼材に関するものである。加えて、上記の用に切れ目の入った円柱状の皮付き木材は見た目が美しく、焚火、暖炉などに利用する際、通常の薪とは違った雰囲気を醸しだすことができる。
【背景技術】
【０００２】  従来、焚火やキャンプファイヤー、暖炉、灯火、炊事などを通常の薪を使って行う場合、伐採した木材を手ごろな大きさに切断し、着火時に、火種を充分に保つため空気との接触面積が大きくなるよう、木の小枝や細く切った焚きつけと呼ばれる薪を使用し、充分に火がついた後より太い薪を順次火にくべる。
【考案の開示】
【考案が解決しようとする課題】
【０００３】  従来の技術で述べたものについては、着火時に、火種を充分に保つため空気との接触面積が大きくなるよう、木の小枝や細く切った焚きつけと呼ばれる薪を使用し、空気の通り道や、着火する順番、木材の組み方などを考慮する必要がある。そのため着火するのが難しく、また着火後木材の配置や燃え具合を調節する必要があり手間がかかる。  また、薪と似た用途で使われる炭や人工の燃焼材を利用することにより上記の手間を省くことが可能であるが、自然とのふれあいを楽しむアウトドアや、暖炉、神社などで利用される篝火などでは人工の加工物を利用することが不適切な場合がある。  本願は、上記のような従来の技術の有する問題点の解決を提供しようとするものである。
【課題を解決するための手段】
【０００４】  上記目的を達成するため、本考案は次のような、円柱状の薪を提供する。すなわち本考案は、円柱状の皮付き木材本体に上面から均等に分割するように円の中心を通る切れ目を入れ、切離れないように下部を残すことを特徴として構成する。
【作用】
【０００５】  上記構成において、円柱状の薪の上部中心に着火材を配し着火することで、マッチ一本で簡単に着火することができ、また着火後調整の必要なく木材を燃焼させることができる薪である。
【実施例】
【０００６】  本考案の実施例について、以下、図面にしたがって本考案の構成が実際上どのように具体化されるかを、その作用とともに説明する。図１は、本考案の一実施例の説明図であり、そのうちの図１は斜め上方から見た図、図２は上から見た断面図である。  図１において、１は皮付きの円柱状薪本体であり、この本体１の上部から、図１で示すように中心を通る２本〜８本の幅８ｍｍ〜１２ｍｍ切れ目が入っており、切り離れないように下部は切らずに残しておく。図２で見られるような均等の取れた切れ目を入れることにより美しい円柱状の薪となる。円柱のサイズは高さ１００ｍｍ〜８００ｍｍ、直径を１００ｍｍ〜４００ｍｍで、燃焼時間と火力に応じてサイズを決定する。
【考案の効果】
【０００７】  以上本考案によれば、円柱状の皮付き木材本体に上面から均等に分割するように円の中心を通る切れ目を入れ、切離れないように下部を残すことを特徴として構成することによって、薪の上部中心に着火材を配し着火することで、マッチ一本で簡単に着火することができ、また着火後調整の必要なく木材を燃焼させることができる。また、見た目が美しく且つ切れ目以外に人工的な加工を施していない自然な木材であるため、自然とのふれあいを楽しむアウトドアや、暖炉、神社などで利用される篝火などでの人工の加工物を利用することが不適切な場合にも適合する、などの効果がある。
【図面の簡単な説明】
【０００８】
【図１】本考案の一実施例の説明図であり、そのうちの図１は斜め上方から見た図。
【図２】は上から断面図である。
【符号の説明】
【０００９】１  本体２  切込み部分３  切れていない部分
【図１】
0003131583.tif 000003
【図２】
0003131583.tif 000004
(57)【要約】      （修正有）【課題】従来の市販の薬入れは、病院から貰って来た薬が２週間以上の場合など薬の点数や量が多くなり、すべての薬を収納することができず、幅や高さにゆとりが無く薬を取り出し難くく、毎日飲む薬の管理が容易では無かった。【解決手段】薬入れは、壁掛け式で病院から貰って来る多量の薬、お薬手帳、診察券、予備の薬、全て見え易く、コンパクトにし、１つの薬入れにした。１回分の数量の薬を出し入れが容易に出来るようにした。予備の薬やお薬手帳等が入るポケットは、次回病院へ行く時の目安にもなり便利である。又、曜日に合わせて７色にし、１回分の、あさ、ひる、よる、ねる前の文字も色分けし、手が触れる部分にも同色の色布を合わせ見易くした。布製なので手触りも良く、７色で部屋が明るくなり、病気の暗い心も癒やしてくれる、壁掛け用薬入れである。【選択図】図１
0003131590.tif 000002
【実用新案登録請求の範囲】
【請求項１】
横方向一列に一週間分となる７つのポケットを連続して配置し、更に縦方向に４段並べて一構成とし、ポケットの入口を広く弛ませた事を特徴とする壁掛け用薬入れ。
【請求項２】
横方向一列７つのポケットを、縦方向に４段並べて一構成としたものを、下段に配置したことを特徴とした請求項１記載の壁掛け用薬入れ。
【請求項３】
最終段に、大き目のポケットを複数個取付けた事を特徴とする請求項１、及び、請求項２記載の壁掛け用薬入れ。
【考案の詳細な説明】
【技術分野】
【０００１】
本発明は、病院から貰ってくる、2週間以上多量の薬と予備の薬、お薬手帳、診察券を壁掛け式１つの薬入れで済むようにし、曜日は１週間を７色で解り易くした。あさ・ひる・よる・ねる前・の薬は、見易く透けている素材を使用し、１回分の数量の薬を取り出しや易くするため、２箇所に弛みを入れた。薬を出し入れする時の手が触れる部分は、あさ・ひる・よる・ねる前・の文字の色と同じくした。予備の薬や、お薬手帳、診察券が入るポケットを付け、多量の薬の管理が全て見え、場所を取らないように考案した。心を癒やしてくれる、薬入れに関する。
【背景技術】
【０００２】
従来は１週間用のプラスチックの薬入れを使用していたが、薬を取り出すとき隣の薬と混ざってしまい間違ってしまった。市販の布製の一ヶ月用壁掛け式も使用したが、薬の出し入れが困難の上大きすぎた、又入院していた時、寝台のパイプに１日分の、薬入れがあったが、薬の角が引っかかり取り出しにくく、良く見えなかった。
【考案の開示】
【考案が解決しようとする課題】
【０００３】
以上に述べた従来の薬入れは何れも、一回分の薬が取り出し難く、1色なのでいかにも病気で薬を飲んでいますと思うような薬入れであり、プラスチックの薬入れは、１回分の薬を出す時、隣の容器に混ざってしまい管理が面倒であった、又布製の薬入れは、薬を出す時、幅に余裕が無く取り出し難く又、高さが深いので出し難かった。
【０００４】
本発明は、このような従来の薬入れを、１回に飲む数量の薬を、指３本がスムーズに入り薬を取り出し易くし、１回飲む薬の高さも薬を取り出し易くするため考案した。２週間以上の多量の病院から貰って来る薬を全て一目で見えるようにし、間違いなく薬を飲み、又出来るだけコンパクトに小形で中身が充実していて、コストダウンを考え、心を癒やしてくれる、壁掛け用薬入れを課題とする。
【課題を解決するための手段】
【０００５】
以上の課題を解決するために、第一発明は、図１薬入れの全体斜視図で、図１―５、図２−５、１回分用薬入れに０．５mmの弛みを２つ付け幅に余裕を持たせた、又
１回分用薬入れの高さを人差し指の第一関節と、第二関節の中間の高さにして、取り
出し易くした、壁掛け用薬入れ。
【０００６】
第二発明によれば、図１−３、７色に色分けされた曜日の表示は、１週間の曜日に合わせて色分けをした。図１−５、１回用薬入れは、薬が透けて見えるようにし、１回の出し入れの時、手が触れる部分は布製にして、手触りを良くした。あさ・ひる・よる・ねる前・の文字は、文字が解り易いように色別にし、図１-６、図２−６の色布も文字色に合わせた。又１回分用薬入れ、あさ・ひる・よる・ねる前・の何れか必要なければ色文字を剥し別な用途にも使用出来る。図１−７ポケットは、図１―８に弛みを入れ、幅を持たせ、お薬手帳や診察券、予備の薬が全て入るように丁度良い大きさになっている、壁掛け用薬入れ。
【考案の効果】
【０００７】
第一発明、第二発明、によれば、病院から貰って来る薬、２週間以上、あさ・ひる・よる・ねる前・の多量の薬が全て見え、管理が容易である。１回分数量の薬の出し入れもスムーズに出来る。高さ４５ｃｍ、幅４４ｃｍと１ヶ月用のメモ付きカレンダーの大きさなので場所も取らず、７色の虹色で部屋も明るくなる。布製で手触りが良く、しかも製造コストが大幅にダウン出来る。
【０００８】
コンパクトにした１つの薬入れで、多量の薬の管理、お薬手帳、診察券、予備の薬が一目で解るようにした、又７色の色の効果を利用し、病気を癒す効果も生まれる。
【考案を実施するための最良の形態】
【０００９】
この実施形態によれば、病院から貰って来る薬が２週間以上多量であっても、全ての薬が見え、片手、片足が不自由でも管理が楽である。見易いので薬の飲み間違いも無く、１回飲む量が多少に関わらず取り出し易く、予備の薬、診察券、お薬手帳、等が入るポケットも付けてあり、病院へ行く人にとって全ての物が見易く、コンパクトにした１つの薬入れで済む。又曜日毎に７色、色分けしてあるので曜日が一目で解り、あさ・ひる・よる・ねる前も色分けする事で、取り間違いを防止する。
【実施例１】
【００１０】
以下、本発明の実施の形態に係る薬入れについて図１〜図２に基づいて説明する。
図１は本発明の実施形態に係る壁掛け用薬入れの正面図であって、図１−９は本体で布である。１は吊るし棒入れ、図１−２は引っ掛け紐、どちらで薬入れを吊るすようになっている。図１−３は１週間の色に分かれてあり７色曜日である。又、図  １−７は、お薬手帳や診察券、予備の薬入れに丁度良い大きさになってあり、図１−８は弛みを持たしてある。
【実施例２】
【００１１】
図２は、一回飲む薬入れで、あさ・ひる・よる・ねる前・に分けた正面図である。図２−４は色文字で、それに合わせ、図２−６は色布で同色にし、薬の飲み間違い
を無くした。図２−８は弛みで、０，５ｍｍを２つ付け、幅に余裕を持たせ、多少に関わらず薬を取り出し易くした。
【産業上の利用可能性】
【００１２】
毎日飲む薬が多量であっても全て見えコンパクトである。あさ・ひる・よる・ねる前と飲む薬が多少に関わらず、手足が不自由でも見易く、薬の出し入れがスムーズである。又病院の入院患者さん等が入院室の寝台の側等に掛けて使用も出来る、介護施設で入居している方等にも利用できる。予備の薬入れ、お薬手帳、診察券と病院へ通う全ての物が１つの薬入れで済む。
【図面の簡単な説明】
【００１３】
【図１】実施形態に係るしあわせ虹色薬入れの正面図である。
【００１４】
【図２】実施形態に係る、１回分用薬入れの正面図である。
【符号の説明】
【００１５】
１.  吊り棒が入る
２.  引っ掛け紐
３.  ７色曜日
４.  色文字
５.  １回分用薬入れ
６.  色布
７.  ポケット
８.  弛み
９.  本体
【図１】
0003131590.tif 000003
【図２】
0003131590.tif 000004
(57)【要約】【課題】  既設のファンに取り付ける取付部を設けることにより、ファンのある場所であれば、取付け、取外しが自由に行え、必要なときに使用できかつ、コストも安価に提供できる。【解決手段】  屋内で発生する煙等を集める集煙部と、該集煙部から流入する煙等が通過する伸縮自在なホースと、該ホースの後端に既設のファンに取り付ける取付部からなることを特徴とする屋内用排気装置。【選択図】図１
0003131586.tif 000002
【実用新案登録請求の範囲】
【請求項１】
屋内で発生する煙等を集める集煙部と、該集煙部から流入する煙等が通過する伸縮自在なホースと、該ホースの後端に既設のファンに取り付ける取付部からなることを特徴とする屋内用排気装置。
【請求項２】
取付部がクリップであることを特徴とする請求項１記載の屋内用排気装置。
【請求項３】
取付部が磁石であることを特徴とする請求項１記載の屋内用排気装置。
【請求項４】
強制用の排気ファンを設けてなることを特徴とする請求項１又は２記載の屋内用排気装置。
【考案の詳細な説明】
【技術分野】
【０００１】  本考案は、主に屋内においてテーブル上で料理をしたり、室内でハンダ付加工するときに発生する煙等を既設のフードファンを利用し、外部へ排気する屋内用排気装置に関するものである。
【背景技術】
【０００２】  従来の屋内用排気装置としては、屋内での焼物料理時に発生する油煙を、発生源の頭上に設置された円錐状フード上の小型プロペラファンを駆動することにより、発生源の直上で強制換気を行い、発生する油煙をほぼ全て補足し、蛇腹形状のフレキシブルホース内を経由し、屋外に汚染空気を排出するものがある。（特許文献１参照）
【特許文献１】  特開２００６−２６６６５９号公報
【考案の開示】
【考案が解決しようとする課題】
【０００３】  上記従来例においては、フレキシブルホースの後部を屋外に突出すべく、枠に孔をあけてなるもので、工事費等、多大な費用を要するものである。
また、取付け、取外しが面倒である。【０００４】  本考案は、このような従来の構成が有していた問題点を解消しようとするもので、既設のファンに取り付ける取付部を設けることにより、ファンのある場所であれば、取付け、取外しが自由に行え、必要なときに使用できかつ、コストも安価に提供できるものである。
【課題を解決するための手段】
【０００５】  本考案は、上記目的を達成する手段として、屋内で発生する煙等を集める集煙部と、該集煙部から流入する煙等が通過する伸縮自在なホースと、該ホースの後端に既設のファンに取り付ける取付部からなる。
また、取付部がクリップである。
そして、取付部が磁石である。
さらに、強制用の排気ファンを設けてなることを特徴とする。
【考案の効果】
【０００６】１）、ホースの後端に、既設のファン（フード）に取付けるための取付部を設けることにより、ファンのある部屋であればどこでも使用でき便利である。
２）、取付部をクリップにすることにより、フードファンのフードへ着脱自在に取り付けることができる。
３）、取付部を磁石とすることにより、鉄製のフードや、鉄製のファン枠に着脱自在に取り付けられる。
４）、必要に応じて、集煙部内に、強制用の排気ファンを設けることにより、より確実に排気できる。
【考案の実施するための最良の形態】
【０００７】  屋内用排気装置は、略台形角柱筒状の屋内で発生する煙等を集める集煙部２と、該集煙部２から流入する煙等が通過する伸縮自在なホース３と、該ホース３の後端に、既設のファンに取付けるクリップによる取付部４とから構成されるものである。
【０００８】  上記屋内用排気装置１の使用例について下記に述べる。
例えばテーブルあるいは床上で、ハンダ付加工Ｈを行う場合、その側方に集煙部２を置き、ホース３の後端の取付部４をフード付ファンＦのフードＦ１に取付ける。
この状態で、ファンＦ２を作動させることにより、加工時に発生する煙Ｋを集煙部２より流入させ、ホース３を通って、フード付ファンＦより屋外へ排出するものである。
【０００９】  なお、集煙部の形状及び大きさ、ホースの長さ等は、必要に応じて自由に設定すればよい。
また、取付部においては磁石、ネジ止め、吸着盤等、別の形態も考えられるものである。
さらに、集煙部の後部に強制用の排気ファン２ａを設けてもよい。
【図面の簡単な説明】
【００１０】
【図１】  本考案の屋内用排気装置の一実施例を示す斜視図。
【図２】  本考案の屋内用排気装置の一実施例を示す使用状態図。
【符号の説明】
【００１１】１−−−屋内用排気装置
２−−−集煙部
２ａ−−排気ファン
３−−−ホース
４−−−取付部
Ｈ−−−ハンダ付加工
Ｆ−−−フード付ファン
Ｆ１−−フード
Ｆ２−−ファン
Ｋ−−−煙
【図１】
0003131586.tif 000003
【図２】
0003131586.tif 000004
(57)【要約】【課題】  温泉施設等の公共の風呂場の座椅子用の携帯用抗菌座椅子カバーを提供する。【解決手段】  長方形状の抗菌剤を含有した弾力性のある座椅子カバーの中央部が二ツ折りになることが特徴の携帯用抗菌座椅子カバーである。【選択図】図１
0003131582.tif 000002
【実用新案登録請求の範囲】
【請求項１】
長方形状の抗菌剤を含有した弾力性のある座椅子カバーの中央部が二ツ折りになることを特徴とした携帯用抗菌座椅子カバー。
【考案の詳細な説明】
【技術分野】
【０００１】  本考案は、長方形状の抗菌剤を含有した弾力性のある座椅子カバーの中央部が二ツ折りになることを特徴で、温泉施設等の公共の風呂場の座椅子用の携帯用抗菌座椅子カバーに関するものである。
【背景技術】
【０００２】  従来、公共の温泉施設等の風呂場の座椅子は不特定多数の人が使用するため、不潔感は否めなかった。
【考案の開示】
【考案が解決しようとする課題】
【０００３】  現代のストレス社会において温泉は老若男女、幅広い年令層に人気であるが、その際気になるのが衛生的な面についてである。
特に直接、接触する座椅子は問題である。
【課題を解決するための手段】
【０００４】  本考案が提供する携帯用抗菌座椅子カバーは、長方形状の抗菌剤を含有した弾力性のある座椅子カバーの中央部が二ツ折りになることを特長としたものである。
【考案の結果】
【０００５】  携帯用抗菌座椅子カバーを使用することにより清潔感が保たれる。
【考案を実施するための最良の形態】
【０００６】  以下、本考案の実施の形態を説明する。
図１〜３において、図１は長方形状の抗菌剤を含有した弾力性のある座椅子カバー（１）が中央部（２）から二ツ折りに畳まれている状態である。
図２は開いている状態であり、椅子カバー（１）裏面の中央部には防水性のシール（３）により補強されている。
本考案は以上の構成からなる携帯用抗菌椅子カバーである。
これを使用するときは、座椅子（４）の上にシール（３）の面を下方にして座椅子カバー（１）を広げて置く。
【図面の簡単な説明】
【０００７】
【図１】  本考案を二ツ折りにした状態の斜視図である。
【図２】  本考案の使用状態を示した説明図である。
【図３】  本考案の裏面図である。
【符号の説明】
【０００８】      １  椅子カバー
２  中央部
３  防水接続シール
４  座椅子
【図１】
0003131582.tif 000003
【図２】
0003131582.tif 000004
【図３】
0003131582.tif 000005
(57)【要約】【課題】足首を左右に回転させながら、アキレス腱や脹ら脛の腱や筋肉、さらに大腿部の内転筋、尻部の筋肉などのストレッチ運動を行って、健康増進を図ることができる健康器具を提供する。【解決手段】ベースフレームと、該ベースフレームに枢着軸を介して回動可能に取り付けられ、所望の傾斜を保持するように設けられた傾斜板と、該傾斜板上に回動自在に取り付けられる左右の足乗せ板から構成される。【選択図】        図１
0003131227.tif 000002
【実用新案登録請求の範囲】
【請求項１】
ベースフレームと、該ベースフレームに枢着軸を介して回動可能に取り付けられ、所望の傾斜を保持するように設けられた傾斜板と、該傾斜板上に回動自在に取り付けられる左右の足乗せ板から構成されることを特徴とする健康器具。
【請求項２】
上記傾斜板と足乗せ板の間に、ベアリング板を介挿したことを特徴とする請求項１に記載の健康器具。
【請求項３】
上記傾斜板の先端部に蝶番を介して回動自在に取り付けられると共に、その先端部が上記ベースフレームに形成された複数の掛止凹部に選択的に掛け止められる支持板を設けたことを特徴とする請求項１または２に記載の健康器具。
【請求項４】
上記ベースフレームのつま先側の下面に斜面を形成したことを特徴とする請求項１、２または３に記載の健康器具。
【請求項５】
上記ベースフレームの先端部に取っ手をベースフレーム立設したことを特徴とする請求項１、２または３に記載の健康器具。
【考案の詳細な説明】
【技術分野】
【０００１】
本考案は、足をつま先上がりの傾斜状態にさせて、アキレス腱や脹ら脛の腱や筋肉を緊張させ、健康を増進させることができる健康器具に関する。
【背景技術】
【０００２】
従来の、この種の健康器具としては、水平面に対してつま先上がりの傾斜状態で足を乗せるための足乗せ台があった。（例えば、特許文献１参照）
【０００３】
しかし、上記従来の健康器具は、足を単につま先上がりの傾斜状態で乗せるだけのもので、アキレス腱や脹ら脛を静的に緊張させるだけのもので、さらに健康を増進させるための健康器具として、機能を高める必要があった。
【特許文献１】特開２００６−２０４４６６号公報
【考案の開示】
【考案が解決しようとする課題】
【０００４】
解決しようとする課題は、足首を左右に回転させながら、アキレス腱や脹ら脛の腱や筋肉、さらに大腿部の内転筋、尻部の筋肉などのストレッチ運動を行って、健康増進を図ることができる健康器具を提供することにある。
【課題を解決するための手段】
【０００５】
本考案の健康器具は、ベースフレームと、該ベースフレームに枢着軸を介して回動可能に取り付けられ、所望の傾斜を保持するように設けられた傾斜板と、該傾斜板上に回動自在に取り付けられる左右の足乗せ板から構成されることを特徴とする。また、上記傾斜板と足乗せ板の間に、ベアリング板を介挿したことを特徴とする。さらに、上記傾斜板の先端部に蝶番を介して回動自在に取り付けられると共に、その先端部が上記ベースフレームに形成された複数の掛止凹部に選択的に掛け止められる支持板を設けたことを特徴とする。また更に、上記ベースフレームのつま先側の下面に斜面を形成したことを特徴とする。更にまた、上記ベースフレームの先端部に取っ手をベースフレーム立設したことを特徴とする。
【考案の効果】
【０００６】
本考案の健康器具は、足首を左右に回転させながら、アキレス腱や脹ら脛の腱や筋肉のストレッチ運動を行って、健康増進を図ることができる利点がある。
【考案を実施するための最良の形態】
【０００７】
図１は、本考案の健康器具の１実施例を示す平面図（Ａ）および側面図（Ｂ）であって、１はベースフレーム、２は傾斜板、３は足乗せ板である。
【０００８】
平行に配置された２つのベースフレーム１の端部間には、枢着軸２ａを介して上記傾斜板２の基端部が上下方向に回動可能に取り付けられている。該傾斜板２の先端部には、蝶番２ｃを介して支持板２ｂが回動自在に取り付けられている。該支持板２ｂの先端部は、上記ベースフレーム１に形成された複数の掛止凹部１ａに選択的に掛け止められている。
【０００９】
上記傾斜板２には、支軸３ａを介して足乗せ板３が回転自在に取り付けられている。傾斜板２と足乗せ板３の間には、ベアリング板３ｂが介挿されていて、足乗せ板３が円滑かつ確実に回転するようにしている。また、該ベアリング板３ｂに複数枚の摩擦板を設けて回転に抵抗力を持たせてもよい。
【００１０】
本実施例の健康器具は、以上のように構成されているので、図２（Ａ）に示すように、左右の足乗せ板３を左右に回動させたり、図２（Ｂ）に示すように、左右の足乗せ板３をハの字状あるいは逆ハの字状に回動させて、つま先上がりの足首を左右に捻ることにより、上記ストレッチ作用を更に高めることができるだけでなく、アキレス腱や脹ら脛の腱や筋肉を解すこともできる。
【００１１】
また、図３（Ａ）（Ｂ）から明らかなように、上記ベースフレーム１に掛止凹部１ａを複数形成することにより、上記支持板２ｂの先端部を選択的に掛け止めて、上記傾斜板２の傾斜角度を変化させ、ストレッチ度の強弱を選択できるようになっている。なお、傾斜板２の傾斜角度を変化させて、所望の傾斜角に保持する手段としては、上記支持板２ｂや掛止凹部１ａに限定するものではない。
【００１２】
なお、図４（Ａ）に示すように、誤って反対向き、すなわち、つま先下がりの傾斜状態で足乗せ板３に乗った場合には、非常に不安定になって危険であるが、上記ベースフレーム１のつま先側の下面に斜面１ｂを形成することにより、図４（Ｂ）に示すように、ベースフレーム１が回動して、足乗せ板３が安定した水平状態になり、危険を回避することができる。
【００１３】
図５は、さらに別の実施例を示すもので、上記ベースフレーム１の先端部から取っ手４を立設して、この取っ手４に掴まりながら回転ストレッチ運動を安定して行うことができる。
【図面の簡単な説明】
【００１４】
【図１】本考案の健康器具の１実施例を示す平面図（Ａ）および側面図（Ｂ）である。
【図２】足乗せ板の回転運動を示す説明図（Ａ）および（Ｂ）である。
【図３】傾斜板の傾斜角度を変更した態様を示す説明図（Ａ）および（Ｂ）である。
【図４】反対向きに乗った場合の安全対策を施した別の実施例をします説明図（Ａ）および（Ｂ）である。
【図５】取っ手に掴まりながらストレッチ運動を行えるようにした更に別の実施例を示す説明図である。
【符号の説明】
【００１５】
１    ベースフレーム
１ａ  掛止凹部
１ｂ  斜面
２    傾斜板
２ａ  枢着軸
２ｂ  支持板
２ｃ  蝶番
３    足乗せ板
３ａ  支軸
３ｂ  ベアリング板
４    取っ手
【図１】
0003131227.tif 000003
【図２】
0003131227.tif 000004
【図３】
0003131227.tif 000005
【図４】
0003131227.tif 000006
【図５】
0003131227.tif 000007
(57)【要約】      （修正有）【課題】児童が通園したり通学したりする際、或いは会社員が外出する際に名札に記載されている名前等を隠蔽することができる名札を提供する。【解決手段】上端に安全ピン３を取り付けた枠体１内に、片面に名前を表示する回転板４を回転自在に軸着し、且つ前記枠体の内縁と回転板の外縁に、凹部１１と凸部１０とよりなるストップ機構Ａを配設したことを特徴としている。【選択図】図１
0003131221.tif 000002
【実用新案登録請求の範囲】
【請求項１】
上端に安全ピンを取り付けた枠体内に、片面に名前を表示する回転板を回転自在に軸着し、且つ前記枠体の内縁と回転板の外縁に、凹部と凸部とよりなるストップ機構を配設したことを特徴する名札。
【考案の詳細な説明】
【技術分野】
【０００１】
本考案は、児童や会社員が、衣服に装着する名札に関するものである。
【背景技術】
【０００２】
幼稚園や保育園の園児は、組名と名前を表示した名札を安全ピンで胸に取り付けて通園している。しかし、この名札により子供の名前等が他人に知られ、予測できない問題を生ずる虞があった。
【０００３】
このような問題点を解消するために、名札の裏面に、上部より下部へ帯を設け、この帯内に安全ピンを通過させ、安全ピンで衣服に取り付けた名札を反転し得るようにした名札(例えば特開平１１−３８８８２号公報)がある。
【０００４】
この反転式の名札は、表面に表示した名前等は反転により隠すことはできるが、安全ピンの横軸に支持された名札全体の上下を反転する方式のため、例えば名札を動物の顔の模様にするときは、反転により顔が逆向きになる欠点がある。
【特許文献１】特開平１１−３８８８２号公報
【考案の開示】
【考案が解決しようとする課題】
【０００５】
本考案は、児童が通園、通学する際、会社員が外出する際に、表面に記載されている名前等を隠蔽することができる名札を提供しようとするものである。
【課題を解決するための手段】
【０００６】
上記の目的を達成するために、請求項１の考案は、上端に安全ピンを取り付けた枠体内に、片面に名前を表示する回転板を回転自在に軸着し、且つ前記枠体の内縁と回転板の外縁に、凹部と凸部とよりなるストップ機構を配設したことを特徴としている。
【０００７】
上記請求項１の名札は、幼稚園や小学校の児童が、上端に設けた安全ピンを用いて衣服に装着し、園内とか校内では名前を表示した回転板の表面を外側にし、通園、通学時には回転板を反転させ、名前を表示した表面を内側にする。この回転板は、ストップ機構により、盲動することなく保持される。上記、枠体は動物の顔とか、花の形状のようにして、意匠的効果を図る。また回転板は表面に直接，名前を表示するものと、回転板を表裏の板により形成し、表裏の板の間に名前を表示したカードを介在させるものがある。尚、前記安全ピンに代えて適宜のクリップを使用しても良い。
【考案の効果】
【０００８】
本考案の請求項１の名札は、衣服に装着した状態で回転板を反転することにより、名前や幼稚園名等を表示した面を表側にしたり、内側に隠蔽したりすることができるので、安心して通園、通学することができる。またストップ機構により、回転板が自動的に反転し、名前を隠したいときに表側に表われるとか、逆に名前を表側に表わしたいときに裏側に隠れてしまうことがない。しかも枠体は上下が反転することがないので、枠体に表現した模様が反転することによる意匠的価値が損なわれることがない。
【考案を実施するための最良の形態】
【０００９】
以下、図１、図２を参照して、請求項１の考案の実施形態を詳述する。図１は名札の一部縦断正面図であり、図２は同上一部切欠き縦断面図である。
【００１０】
図中の符号１は外周がチュウリップの形状で、四角形の窓孔２を形成した硬質プラスチック製の枠体であり、裏面の上端には安全ピン３を取り付けている。符号４は枠体１の窓孔２内に回転可能に嵌合した透明プラスチック製の回転板であり、その上下両縁の中央に突設した軸５，５の先端を、窓孔２の上下両縁の中央に形成した軸受け６，６に挿入している。上記回転板４は、表裏の板４ａ，４ｂ間にカード７の収納部８を形成し、その一側にカード７の差込み口９を形成している。また符号Ａは窓孔２の上下縁の左右に突設した凸部１０と、回転板４の上下両縁の左右に形成した凹部１１とよりなるストップ機構（クリックストップ機構）である。
【００１１】
この実施形態の名札は、名前等を記載したカード７を、その記載面を表側にして収納部８内に挿入し、安全ピン３を用いて衣服に取り付けて使用する。通園時や通学時
に名前等を他人に知られたくないときは、回転板４を反転することにより、名前等を隠蔽することができるのである。また回転板４を反転した場合、ストップ機構Ａにより、回転板４が自動的に回転するのを防止できるのである。
【００１２】
上記実施形態のカード取り具は、回転板４内に名前等を記載したカード７を収納する場合であるが、回転板４の表面に直接、油性インキにより記載する場合もある。この場合は、回転板４を透明にする必要はない。また枠体１は、花の形状、動物の顔の他、大人の好む模様にするとか、枠体１の表面を立体的な形状にすることもある。回転板４の裏面には、歩行者マークとか任意の模様を表示することもある。更に衣服への装着用に安全ピンを使用したが、適宜のクリップを使用する場合もある。
【図面の簡単な説明】
【００１３】
【図１】本考案の実施形態を示す名札の一部縦断正面図である。
【図２】同上名札の一部切り欠き縦断面図である。
【符号の説明】
【００１４】
１      枠  体
２      窓  枠
３      安全ピン
４      回転板
５      軸
６      軸受け
７      カード
８      収納部
Ａ      ストップ機構
【図１】
0003131221.tif 000003
【図２】
0003131221.tif 000004
(57)【要約】【課題】特定の部位にしか利用できないと共に、高齢者など力がなく手足が思うように動かない人などには使用が困難である。【解決手段】多数の球状体を、軟弾性を有するゴムや軟質プラスチックからなる短尺で細い連結紐により所定間隔を置いて一連に連結した紐状指圧具を、指圧を行う身体の部分に適宜な間隔で適度な締め付け力を与える程度に軽く巻き付け、これによって球状体を身体の指圧をしたい部分に圧着させて指圧を行う。【選択図】図１
0003131229.tif 000002
【実用新案登録請求の範囲】
【請求項１】
多数の球状体を、軟弾性を有するゴムや軟質プラスチックからなる短尺で細い連結紐により所定間隔を置いて一連に連結したことを特徴とする紐状指圧具。
【考案の詳細な説明】
【技術分野】
【０００１】
本考案は、体の様々な部分に巻き付けて指圧を行うための紐状指圧具に関するものである。
【背景技術】
【０００２】
従来、板などの基材に多数の指圧用突起を設けて、この突起を指圧を行う身体部位に押し当てるようにした指圧具（特許文献１）が知られている。
【０００３】
また、表面に多数の突起を設けたゴムベルトを足に巻き付けるようにした指圧具（特許文献２）、多数の大きさの異なる穴あきの球に糸を通して鎖状の輪を作り、この輪を首や手首などに掛け、体重により指圧を行うようにした指圧具（特許文献３）、さらには中央に突起を設けた棒状体の両端部に１本の紐の両端部をそれぞれ連結し、その紐の数カ所に穴あき球体を回転自在に取り付け、棒状体の両端部を手で持って紐を背中などの指圧を行う部位に当てがい、この状態で棒状体を介して紐を引っ張って球体を部位に圧接することにより指圧を行うようにした指圧具（特許文献４）が知られている。
【０００４】
【特許文献１】実開平８−１４号公報
【特許文献２】実開平６−４４５４４号公報
【特許文献３】実開平７−２８５４８号公報
【特許文献４】実開平６−８３０２８号公報
【考案の開示】
【考案が解決しようとする課題】
【０００５】
特許文献１のような指圧具では、背中などの身体の比較的広く平らな部分にしか指圧を行うことができず、しかも指圧具上に体重をかけたり、身体部位を人為的な力で押し付けたりしなければならない。
【０００６】
特許文献２のような指圧具では、ベルトを身体部位に巻いて両端の面ファスナーで止め着けるため、手足など特定の身体部位にしか使用することができず、特定の部位以外に使用できないと共に、ベルトの両端を止め着ける面ファスナーなどを取り付ける必要がある。
【０００７】
特許文献３のような指圧具では、鎖状の輪を用いるため、首などの特定の身体部位にしか使用することができず、特定の部位以外に使用できない。
【０００８】
特許文献４のような指圧具では、紐の内側に身体部位を入れ、腕力で指圧を行うので、高齢者など力がなく手足が思うように動かない人などには使用が困難である。
【課題を解決するための手段】
【０００９】
本考案は、体のあらゆる箇所に装着して指圧効果が得られるようにするために、多数の球状体を、軟弾性を有するゴムや軟質プラスチックからなる短尺で細い連結紐により所定間隔を置いて一連に連結してなる紐状体を、指圧を行う身体の部分に巻き付けて球状部を身体の指圧をしたい部分に圧接させることを最も主要な特徴とする。
【考案の効果】
【００１０】
本考案によれば、球状体を結ぶ紐が柔軟で弾性を有することから、屈曲および伸縮自在であるので、頭から足先部分までの身体のあらゆる部分に手軽に巻き付けて、人為的な力を要することなく球状体の圧接による指圧を簡単に、しかも多数箇所に同時に行うことができ、かつ安価な指圧具を提供することができる。
【００１１】
紐が柔軟で弾性を有するので、身体の様々な部分、特に手足の指の間など狭い箇所や肘や膝など屈曲する部分などにその部位の形態に倣って確実に巻き付けることができ、指圧具の端部も既に巻き付けた指圧具と身体の間に挟み込んで簡単に止め付けることができる。
【考案を実施するための最良の形態】
【００１２】
人為的な力を要することなく身体のあらゆる部分の指圧を簡単に行うことを可能とするという目的を、簡単かつ安価な用具を用いて実現した。
【実施例１】
【００１３】
図１に示すようにこの考案の紐状指圧具は、直径７mm〜１５mm程度の多数の球状体１を、軟弾性を有するゴムや軟質プラスチックからなる短尺で細い連結紐２により所定間隔を置いて一連に連結して構成されている。
【００１４】
球状体１と連結紐２としては、軟弾性を有するゴムや軟質プラスチックにより成形型を用いて一連一体に成形したものを採用することができる。
【実施例２】
【００１５】
また、球状体１としては、プラスチック、金属、石等からなる球体３の周囲を連結紐２と同質のゴムやプラスチックの膜で包んで連結紐２と一体に成形したものであってもよい。
【００１６】
球体３を用いる紐状指圧具の製造方法としては、軟弾性を有するチューブ内にその内径よりも太いパイプを挿入し、このパイプを通してチューブ内にチューブ内径よりも直径の大きい球体３を投入し、その後は順次パイプを少し引いては球体３をチューブ内に一定間隔で投入することを繰り返して行い、弾性収縮したチューブで球体３を包むと共に、隣接する球体３，３間の収縮したチューブにより連結紐２を構成する方法、前記チューブとして熱収縮性プラスチックチューブを用いて所要数の球体３を一定間隔でチューブ内に投入後、チューブを加熱収縮させる方法、あるいは金型内にゴム生地と一定間隔で多数の球体３を入れて連結紐と一体に加硫成型する方法などを採用することができる。
【００１７】
以上のように構成された紐状指圧具を用いて指圧を行う場合には、指圧を行う身体の部分に紐状指圧具を適宜な間隔で適度な締め付け力を与える程度に軽く巻き付け、これによって球状体１を身体の指圧をしたい部分に圧着させる。
【００１８】
これによって、身体のツボや神経を刺激し、脳や心臓等の臓器の働きを促し、あるいは血行を促進し、健康の維持増進や身体機能の回復を図ることができる。
【産業上の利用可能性】
【００１９】
人為的な力を要することなく身体のあらゆる部分に簡単に適用できる指圧具を安価に提供することができる。
【図面の簡単な説明】
【００２０】
【図１】この考案の第１実施例の部分縦断側面図である。（実施例１）
【図２】この考案の第２実施例の部分縦断側面図である。（実施例２）
【図３】この考案の使用状態の一例を示す斜視図である。
【符号の説明】
【００２１】
１    球状体
２    連結紐
３    球体
【図１】
0003131229.tif 000003
【図２】
0003131229.tif 000004
【図３】
0003131229.tif 000005
(57)【要約】      （修正有）【課題】バイオリン及びビオラにビブラートをかける際に正しい方向に手、指を誘導し、又必要な筋肉を付ける。【解決手段】ビブラートを掛ける方向にレール１Ａを張った本体１に移動式指版２をかみ合わせ、実際のバイオリンでビブラートを掛けるようにトレーニングする。【選択図】図１
0003131225.tif 000002
【実用新案登録請求の範囲】
【請求項１】
バイオリン形状又はビオラ形状の本体と、前記バイオリン形状又は前記ビオラ形状の本体との長手方向と所定の角度を持って本体上に設けたレールと、前記レールにガイドされて移動する移動式指板を備え、前記移動式指板を移動させてビブラートの練習をするバイオリン又はビオラのビブラート練習機。
【考案の詳細な説明】
【技術分野】
【０００１】
本考案は、バイオリン及びビオラの演奏特にビブラートに関するものである。
【背景技術】
【０００２】
今まで、バイオリンの練習はバイオリンで行うという概念に囚われ適切な練習機がなかった。
【考案の開示】
【考案が解決しようとする課題】
【０００３】
本考案は、バイオリン及びビオラにビブラートをかける際に正しい方向に手、指を誘導し、又必要な筋肉を付ける事ができることを目的とする。
【課題を解決するための手段】
【０００４】
バイオリン形状又はビオラ形状の本体と、バイオリン形状又はビオラ形状の本体との長手方向と所定の角度を持って本体上に設けたレールと、レールにガイドされて移動する移動式指板を備え、前記移動式指板を移動させてビブラートの練習をするものである。
【考案の効果】
【０００５】
この練習機により、ビブラートの演奏時の手や指を動かす方法を容易に習得でき、特に適齢期を過ぎてから始める人に上達の効果が大きい。また誤ったビブラートのかけ方のために腱鞘炎を起こすことがない。
【考案を実施するための最良の形態】
【０００６】
本考案の実施例を図に基づいて説明する。図１は本考案のバイオリン及びビオラのビブラート練習機の実施例の構成図であり、本体１はバイオリンの形状をしており、その一部に複数のレール１Ａを図に示すように本体１の長手方向に対し斜めに設け、このレール１Ａ上に移動式指板２を配置する。この移動式指板２はレール１Ａとかみ合って滑る。図２はレール１Ａを詳細に表した図で、図３は本体１を裏側から見た図で、本体１にはバイオリン形状を形成するために裏板５が設けられ、切り込み６が設けられている。移動式指板２は図４に示すようにすべり止め７と板８とレール３を組み合わせたものや図５に示すようにさらにダンベル９を付加したもの、あるいは図６や図７に示すよう指穴付、指板１０を設けたものなどの組み合わせがあり、図８に示すように組み立てられてレール３が本体１のレール１Ａと形合して、本体１上を摺動する。指穴付指板１０は図９に示すように指穴はバイオリンのＡ（ラ）線で言うと下からＢ（♭シ），Ｈ（シ），Ｃ（ド），Ｃｉｓ（♯ド），Ｄ（レ），Ｄｉｓ（♯レ），Ｅ（ミ）と半音間隔で上がっていき、そのあたりから半音の幅が狭くなるために、音の関係なく穴を設ける。図１０と図１１はバイオリンを演奏している状態を示した図で、バイオリンの長手方向の線Ａとバイオリンの弦を押さえる指の移動方向を線Ｂとのなす角度Ｘとすると、この練習機を使用して図１７のように移動式指板２を操作してビブラートの練習をする。図１２、図１３、図１４、図１５はレール３を示した図である。図１６は実際のバイオリンの弦を押さえた図で、ビブラートはこの弦を押さえた指を細かく動かすことによって行う。図１７はビブラートの練習機の図を示し、移動式指板２を動かすことによってビブラートの練習をする。
【産業上の利用可能性】
【０００７】
本考案はビブラート演奏を行うバイオリンやビオラなどの弦楽器の練習機に使用される。
【図面の簡単な説明】
【０００８】
【図１】本体に移動式指版を取り付けた構成図
【図２】本体の構成図
【図３】本体の裏面の構成図
【図４】滑り止めの移動式指版の構成図
【図５】滑り止めとダンベルの移動式指版の構成図
【図６】指穴付き指版の移動式指版の構成図
【図７】指穴付き指版とダンベルの移動式指版の構成図
【図８】各移動式指版の裏側の構成図
【図９】指穴付き指版の指穴の配置図
【図１０】ビブラート演奏を示す図
【図１１】ビブラート演奏を示す拡大図
【図１２】レールの構成図
【図１３】レールの構成図
【図１４】複数のレールの構成図
【図１５】レールのかみ合わせ方の構成図
【図１６】演奏時の押さえづらい和音例を示す図
【図１７】本考案の練習機を使用したビブラート演奏を示す図
【符号の説明】
【０００９】
１  本体
１Ａ  レール
２  移動式指板
３  レール
１０  指穴式指板
【図１】
0003131225.tif 000003
【図２】
0003131225.tif 000004
【図３】
0003131225.tif 000005
【図４】
0003131225.tif 000006
【図５】
0003131225.tif 000007
【図６】
0003131225.tif 000008
【図７】
0003131225.tif 000009
【図８】
0003131225.tif 000010
【図９】
0003131225.tif 000011
【図１０】
0003131225.tif 000012
【図１１】
0003131225.tif 000013
【図１２】
0003131225.tif 000014
【図１３】
0003131225.tif 000015
【図１４】
0003131225.tif 000016
【図１５】
0003131225.tif 000017
【図１６】
0003131225.tif 000018
【図１７】
0003131225.tif 000019
(57)【要約】      （修正有）【課題】風が吹いた場合でも消えることなく、また面白みも有する提灯を提供する。【解決手段】本考案にかかる提灯１０は、柄部１８の先端に提灯本体１２が吊るされた提灯１０において、柄部１８は中空に形成され、柄部１８に電池収容部２０と、スイッチ２４が形成され、電池収容部２０に収納される電池に接続する基板部から、配線３０が中空の柄部１８内を通して提灯本体１２内に引き出され、提灯本体１２内の配線３０の部位にＬＥＤランプが取付けられて成り、スイッチ２４をオンすることによってＬＥＤランプが点灯されることを特徴とする。【選択図】図１
0003131216.tif 000002
【実用新案登録請求の範囲】
【請求項１】
柄部の先端に提灯本体が吊るされた提灯において、
前記柄部は中空に形成され、
前記柄部に電池収容部と、スイッチが形成され、
前記電池収容部に収納される電池に接続する基板部から、配線が前記中空の柄部内を通して提灯本体内に引き出され、
前記提灯本体内の配線の部位にＬＥＤランプが取付けられて成り、
前記スイッチをオンすることによって前記ＬＥＤランプが点灯されることを特徴とする提灯。
【請求項２】
前記電池収容部が柄部の握手部に形成されていることを特徴とする請求項１記載の提灯。
【請求項３】
前記ＬＥＤランプが３色ＬＥＤランプであり、この３色ＬＥＤランプを点灯制御する制御回路が前記基板部に内蔵されていることを特徴とする請求項１記載の提灯。
【請求項４】
前記ＬＥＤランプを点滅させる点滅回路が前記基板部に内蔵されていることを特徴とする請求項１項記載の提灯。
【請求項５】
前記ＬＥＤランプを点滅させる点滅回路が前記基板部に内蔵されていることを特徴とする請求項３項記載の提灯。
【考案の詳細な説明】
【技術分野】
【０００１】
本考案はＬＥＤランプを備えた提灯に関する。
【背景技術】
【０００２】
お盆のお墓参りなどの際には、ろうそくを用いた提灯を携帯する。
古来からの提灯は、柄部の先に提灯本体を吊り下げ、この提灯本体内のろうそく立てのところにろうそくを装着し、ろうそくを点灯させて用いる。
【特許文献１】実開平６−５００３号公報
【考案の開示】
【考案が解決しようとする課題】
【０００３】
上記古来からの提灯は、提灯本体内のろうそく立てに装着したろうそくに火をともすものであるため、風が吹いた場合に消えてしまったり、またときには提灯本体に火がうつり、燃えてしまうおそれがあるなどの不具合がある。また、特に装飾性があるわけでもなく、面白みに欠ける。
本考案は上記課題を解決すべくなされたものであり、その目的とするところは、風が吹いた場合でも消えることなく、また面白みも有する提灯を提供することにある。
【課題を解決するための手段】
【０００４】
すなわち、本考案にかかる提灯は、柄部の先端に提灯本体が吊るされた提灯において、前記柄部は中空に形成され、前記柄部に電池収容部と、スイッチが形成され、前記電池収容部に収納される電池に接続する基板部から、配線が前記中空の柄部内を通して提灯本体内に引き出され、前記提灯本体内の配線の部位にＬＥＤランプが取付けられて成り、前記スイッチをオンすることによって前記ＬＥＤランプが点灯されることを特徴とする。
【０００５】
前記電池収容部が柄部の握手部に形成されていることを特徴とする。
前記ＬＥＤランプが３色ＬＥＤランプであり、この３色ＬＥＤランプを点灯制御する制御回路が前記基板部に内蔵されていることを特徴とする。
また、前記ＬＥＤランプを点滅させる点滅回路が前記基板部に内蔵されていることを特徴とする。
【考案の効果】
【０００６】
本考案にかかる提灯は、ＬＥＤランプを用いるようにしたので、風が吹いても消えることはもちろんなく、また提灯本体に火が燃えうつるようなこともなく安全である。
また、ＬＥＤランプに、いわゆる３色ランプを用い、様々な色に点灯させたり、点滅させることで面白みのある提灯とすることができる。
【考案を実施するための最良の形態】
【０００７】
以下、本考案の好適な実施の形態を添付図面に基づいて詳細に説明する。
図１は提灯１０の全体の概略を示す説明図であり、図２はＬＥＤランプの説明図である。
１２は公知の提灯本体であり、蛇腹式に伸縮可能に設けられ、上部には筒体１４が取り付けられている。
この提灯本体１２は、チエーンからなる３本の吊り具１６によって柄部１８の先端に吊り下げられている。
【０００８】
柄部１８は中空に形成され、その握手部は電池収容部２０に形成されている。電池収容部２０内には乾電池２２が収納される。
図３は電池収容部２０の説明図である。
電池収容部２０は有底の筒状に形成され、柄部１８に取り外し自在に螺着されるようになっている。
電池収容部２０には、スライド式のスイッチ２４が設けられている。
【０００９】
柄部１８内には端子部２５と、端子部２５に接続する当接部２６と、当接部２６に電気的に接続する基板部２８と、基板部２８から引き出される配線３０とが配設されている。
配線３０は中空の柄部１８を通じて柄部１８の先端から外部に引き出され、提灯本体１２内にその先端側が引き出されている。
【００１０】
電池収容部２０の構造は、乾電池式の電灯とほぼ同様の構造に形成され、電池２２の電極が端子部２５にスプリング３２によって押圧されて当接し、スライド式のスイッチをスライドさせることで、その接触片が当接部２６に接触することによって回路が閉成され、ＬＥＤランプ３４が点灯される。
【００１１】
ＬＥＤランプ３４は、図２に示すように、本実施の形態では３個設けられ、提灯本体１２内の配線３０に並列に接続されている。
上記のように構成されているので、スライド式のスイッチ２４をスライドさせて接触片を当接部２６に接触させることで回路が閉じられ、ＬＥＤランプ３４を点灯させることができる。
ＬＥＤランプ３４は風が吹いても消えることはもちろんなく、また提灯本体１２が燃えるおそれもなく安全である。
【００１２】
ＬＥＤランプ３４には、いわゆる３色ランプを用いることができる。３色ランプの制御回路を基板部２８に設けて、様々な色に点灯させることで、面白みのある提灯とすることができる。また、基板部２８に公知の点滅回路を設けて３色ランプを点滅させるようにしてもよい。
【図面の簡単な説明】
【００１３】
【図１】提灯の概略的な説明図である。
【図２】ＬＥＤランプの説明図である。
【図３】電池収容部の説明図である。
【符号の説明】
【００１４】
１０  提灯
１２  提灯本体
１４  筒体
１６  吊り具
１８  柄部
２０  電池収容部
２２  電池
２４  スイッチ
２５  端子部
２６  当接部
２８  基板部
３０  配線
３２  スプリング
３４  ＬＥＤランプ
【図１】
0003131216.tif 000003
【図２】
0003131216.tif 000004
【図３】
0003131216.tif 000005